(57)【要約】【課題】  浸漬塗布によって、感光体塗膜が形成された円筒状基体の端部余剰塗膜を精度よく安定して除去できる塗膜除去装置を提供する。【解決手段】  塗膜除去装置１００は、回転軸１０８に一方の磁極が固定された電磁石１１２ａと、電磁石１１２ａの他方の磁極に一方の磁極が向き合う永久磁石１１１ａと、永久磁石１１１ａの他方の磁極の側に支持され、円筒状基体の端部内側に当接する塗膜除去部１０１ａを備える。【選択図】図１
2014119523.tif 000002
【特許請求の範囲】
【請求項１】
感光体が塗布された円筒状基体の端部余剰塗膜を除去する塗膜除去装置であって、
回転台、回転軸、第１電磁石、第１永久磁石、第１塗膜除去部を備え、
前記回転軸は、前記回転台の中心に直交して設けられ、
前記第１電磁石は、一方の磁極が前記回転軸に固定され、
前記第１永久磁石は、一方の磁極が前記第１電磁石の他方の磁極と向かうように配置され、
前記第１塗膜除去部は、前記第１永久磁石の他方の磁極の側に支持される
塗膜除去装置。
【請求項２】
前記回転台の周縁に立設される支柱と、第２電磁石、第２永久磁石、第２塗膜除去部を備え、
前記第２電磁石は、一方の磁極が前記支柱に固定され、
前記第２永久磁石は、一方の磁極が前記第２電磁石の他方の磁極と向かうように配置され、
前記第２塗膜除去部は、前記第２永久磁石の他方の磁極の側に支持される
ことを特徴とする請求項１記載の塗膜除去装置。
【請求項３】
前記回転軸及び、前記支柱の上端に設けられた溶剤吹き出し部を備える
ことを特徴とする請求項２項記載の塗膜除去装置。
【請求項４】
前記第１塗膜除去部と前記第１永久磁石、前記第２塗膜除去部と前記第２永久磁石の夫々を挟むように前記回転台に固定されたガイド部を備える
ことを特徴とする請求項２〜３いずれか１項記載の塗膜除去装置。
【請求項５】
前記第１電磁石、前記第２電磁石、前記第１永久磁石、前記第２永久磁石、前記第１塗膜除去部、前記第２塗膜除去部、前記ガイド部が、前記回転軸を中心に複数設けられる
ことを特徴とする請求項４記載の塗膜除去装置。
【発明の詳細な説明】
【技術分野】
【０００１】
本発明は、電子写真感光体の製造に用いる塗膜除去装置に関するものである。
【背景技術】
【０００２】
電子写真感光体の製造において、円筒状基体に感光層などの塗膜を形成する際、円筒状基体を、感光体材料を含む塗布液に浸漬した後に引き上げる浸漬塗工法が一般的に用いられている。浸漬塗工法では、円筒状基体に塗布された塗布液が、円筒状基体の下端部に余剰塗膜として残るため、この余剰塗膜を除去するための端部塗膜除去装置が種々提案されている。
【０００３】
図９は、特許文献１の塗膜除去装置５００を示す断面図であり、図９（ａ）は、余剰塗膜除去前の状態、図９（ｂ）は、余剰塗膜除去時の状態を示している。
【０００４】
塗膜除去装置５００は、以下の構成となっている。回転台５１０に載置された処理槽５０５の底部中央に主軸５０８が立設され、この主軸５０８が貫通するように配置された基体支持体５０３上に、内面塗膜除去部材５０１と外面塗膜除去部材５０２が設置されている。又、基体支持体５０３には通液孔５０４が設けられている。又、処理槽５０５の底部と基体支持台５０３の底面との間には、ガイドピン５０６及びスプリング５０７が配置されており、主軸５０８の端部には、主軸５０８内部の図示しない配管を通り、塗膜除去用溶剤を供給する溶剤吐出ノズル５０９が配置されている。
【０００５】
又、塗膜除去装置５００は、以下のように動作する。図示しない基体保持装置により保持された塗工後の円筒状基体５１２が鉛直方向に下降し、円筒状基体５１２の端面が基体支持台５０３に接触、続いて下降し、基体支持体５０３が押し下げられ、内面塗膜除去部材５０１及び外面端部拭き取り部材５０２が溶剤中に浸漬する。
【０００６】
内面塗膜除去部材５０１及び外面端部拭き取り部材５０２は、溶剤により膨潤し、円筒状基体５１２の内面及び外面に密着する。その後、溶剤吐出ノズル５０９から溶剤を供給しながら回転台５１０を回転させ、円筒状基体５１２の端部塗膜を除去する。
【０００７】
除去された塗膜は、溶剤中に溶解され処理槽５０５から排出される。塗膜除去が終了すると、徐々に円筒状基体５１２を引き上げることにより、基体支持台５０３は、スプリング５０７の復元力で上昇し、溶剤液面より露出した内面塗膜除去部材５０１及び外面端部拭き取り部材５０２は、溶剤が蒸発することにより収縮する。
【先行技術文献】
【特許文献】
【０００８】
【特許文献１】特開２０００−２７５８７０号公報
【発明の概要】
【発明が解決しようとする課題】
【０００９】
しかしながら、特許文献１の場合、内面塗膜除去部材５０１及び外面端部拭き取り部材５０２は、溶剤への浸漬によって膨潤した際に円筒状基体５１２の内面及び外面に密着するように予め寸法設定されているため、塗膜除去処理が繰り返されて摩耗、変形すると、円筒状基体５１２との間の寸法精度が維持できなくなり、溶剤によって膨潤しても円筒状基体５１２へ密着しなくなる。この結果、比較的短時間で余剰塗膜の拭き取り性能が劣化する。
【００１０】
本発明は係る課題に鑑みてなされたものであり、その目的は、円筒状基体下端部の余剰塗膜除去の安定性を向上した塗膜除去装置を提供することにある。
【課題を解決するための手段】
【００１１】
本発明は、感光体が塗布された円筒状基体の端部余剰塗膜を除去する塗膜除去装置であって、回転台、回転軸、第１電磁石、第１永久磁石、第１塗膜除去部を備え、前記回転軸は、前記回転台の中心に直交して設けられ、前記第１電磁石は、一方の磁極が前記回転軸に固定され、前記第１永久磁石は、一方の磁極が前記第１電磁石の他方の磁極と向かうように配置され、前記第１塗膜除去部は、前記第１永久磁石の他方の磁極の側に支持される。
【００１２】
又、前記回転台の周縁に立設される支柱と、第２電磁石、第２永久磁石、第２塗膜除去部を備え、前記第２電磁石は、一方の磁極が前記支柱に固定され、前記第２永久磁石は、一方の磁極が前記第２電磁石の他方の磁極と向かうように配置され、前記第２塗膜除去部は、前記第２永久磁石の他方の磁極の側に支持されることを特徴とする。
【００１３】
又、前記回転軸及び、前記支柱の上端に設けられた溶剤吹き出し部を備えることを特徴とする。
【００１４】
又、前記第１塗膜除去部と前記第１永久磁石、前記第２塗膜除去部と前記第２永久磁石の夫々を挟むように前記回転台に固定されたガイド部を備えることを特徴とする。
【００１５】
又、前記第１電磁石、前記第２電磁石、前記第１永久磁石、前記第２永久磁石、前記第１塗膜除去部、前記第２塗膜除去部、前記ガイド部が、前記回転軸を中心に複数設けられることを特徴とする。
【発明の効果】
【００１６】
本発明によれば、塗膜除去装置における余剰塗膜除去の安定性が向上する。
【図面の簡単な説明】
【００１７】
【図１】本発明の実施形態１を示す上面視断面図及び正面視断面図である。
【図２】本発明の実施形態１の塗膜除去処理前の動作を説明する正面視断面図である。
【図３】本発明の実施形態１の塗膜除去処理時の動作を説明する正面視断面図である。
【図４】本発明の実施形態２を示す上面視断面図及び正面視断面図である。
【図５】本発明の実施形態３を示す上面視断面図及び正面視断面図である。
【図６】本発明の実施形態３の塗膜除去処理前の動作を説明する正面視断面図である。
【図７】本発明の実施形態３の塗膜除去処理時の動作を説明する正面視断面図である。
【図８】本発明の実施形態４を示す上面視断面図及び正面視断面図である。
【図９】従来の塗膜除去装置を示す正面視断面図である。
【発明を実施するための形態】
【００１８】
〔実施形態１〕
本発明の実施形態１について、図１〜３を参照して説明する。図１は、本発明の塗膜除去装置１００の要部構成図であり、図１（ａ）は上面視断面図、図１（ｂ）は正面視断面図である。図２、３は、本発明の塗膜除去装置１００の動作説明図である。尚、図１（ａ）において矢印ｂ−ｂ’方向に見た図が図１（ｂ）であり、図１（ｂ）の矢印ａ−ａ’方向に見た図が、図１（ａ）である。
【００１９】
始めに、図１を参照して、塗膜除去装置１００の構成を説明する。塗膜除去装置１００は、ガイド部１０３ａ、１０３ｂ、１０３ｃ、回転台１０４、回転軸１０８、第１の塗膜除去部である塗膜除去部１０１、第１の永久磁石である永久磁石１１１ａ、第１の電磁石である電磁石１１２ａ、筒状ガイド部１１３ａ、溶剤吹き出し部１０９を備えている。
【００２０】
図１（ａ）に示すように、ガイド部１０３ａ、１０３ｂは、回転軸１０８を中心として回転台１０４の上に離間して向き合うように配置されており、この離間配置されたガイド部１０３ａ、１０３ｂの間に、塗膜除去部１０１ａ、永久磁石１１１ａ、電磁石１１２ａ、筒状ガイド部１１３ａが配置される。又、塗膜除去部１０１ａ、永久磁石１１１ａは、ガイド部１０３ａ、１０３ｂの間を滑動するように挟まれている。
【００２１】
又、図１（ｂ）において、回転軸１０８は、下端部が、図示しない回転機構に取り付けられ、上端部には、溶剤吹き出し部１０９が設けられる。尚、特に図示はしないが、溶剤吹き出し部１０９への溶剤の供給は、回転軸１０８の内部に設けられた供給路により行う。又、回転台１０４は、回転軸１０８を中心として、この回転軸１０８に貫かれるように設けられている。
【００２２】
塗膜除去部１０１ａは、例えば、多孔質スポンジが使用され、永久磁石１１１ａの一方の側に貼り付けられる。又、塗膜除去部１０１ａと永久磁石１１１ａは、回転台１０４の上面に載置される。又、筒状ガイド部１１３ａは、回転軸１０８に直角に固定され、この筒状ガイド部１１３ａの中に電磁石１１２ａが配置される。又、筒状ガイド部１１３ａの回転軸１０８からの長さは、電磁石１１２ａよりも長くなっており、電磁石１１２ａと永久磁石１１１ａが直接接触して破損しないようにしている。又、電磁石１１２ａの片側端部は、回転軸１０８に固定されている。
【００２３】
尚、図では、塗膜除去部１０１ａ、永久磁石１１１ａ、電磁石１１２ａ、筒状ガイド部１１３ａは、回転軸１０８を中心として、二方向に各々を２つ設けているが、一方向に各々を１つ設けても構わない。又、ガイド部１０３ａ、１０３ｂの上部は、ガイド部１０３ｃで覆われる。尚、図示は省略するが、塗膜除去装置１００は、除去した余剰塗膜を収集するための、上方に開口を有する処理容器に収容される。
【００２４】
次に、図２、３を参照して、塗膜除去装置１００の塗膜除去動作について説明する。図２は、塗膜除去処理前の状態を、図３（ａ）、（ｂ）は塗膜除去処理時の状態を示している。
先ず、図２において、浸漬塗工法により感光体が塗布された円筒状基体が、未乾燥の状態で塗膜除去装置１００の上方で保持される。このとき、円筒状基体の中心は、塗膜除去装置１００の回転軸１０８の中心に合致するように保持される。
【００２５】
塗膜除去装置１００の電磁石１１２ａの巻線には、永久磁石１１１ａとの間で吸引磁界が発生する向きに電流が流れている。より詳しくは、永久磁石１１１ａを、電磁石１１２ａに向く側がＮ極、塗膜除去部１０１ａに向く側がＳ極となるよう配置した場合、電磁石１１２ａは、永久磁石１１１ａに向く側がＳ極となるよう、巻線に電流が流れている。これにより、永久磁石１１１ａは、筒状ガイド部１１３ａの端部まで引き寄せられて固定されている。無論、双方の磁石が向き合う側の極性を逆にしても良い。例えば、永久磁石１１１ａを、電磁石１１２ａに向く側がＳ極、塗膜除去部１０１ａに向く側がＮ極となるよう配置した場合、電磁石１１２ａは、永久磁石１１１ａに向く側がＮ極となるよう、巻線に電流を流せば良い。
【００２６】
次に、図３（ａ）に示すように、塗膜除去装置１００は、円筒状基体の端部に、回転台１０４の表面が接触しないように、予め設定した距離で近接するまで上昇する。或いは、塗膜除去装置１００を一定位置に固定しておき、円筒状基体を、塗膜除去装置１００の回転台１０４の表面に、予め設定した距離で近接するまで下降するようにしても構わない。
【００２７】
次に、図３（ｂ）に示すように、回転台１０４の表面と、円筒状基体の端部が予め設定した距離で近接した後、電磁石１１２ａの巻線に流れる電流を逆向きに変更して極性を反転させ、永久磁石１１１ａとの間で反発磁界を発生させる。この反発磁界によって、永久磁石１１１ａは、貼り付けられた塗膜除去部１０１ａと共に、ガイド部１０３ａ、１０３ｂ、及び１０３ｃに沿って滑動し、塗膜除去部１０１ａが円筒状基体の内側に押し付けられる。
【００２８】
塗膜除去部１０１ａが円筒状基体の端部内側に押し付けられた後、溶剤吹き出し部１０９から、塗膜除去用溶剤を塗膜除去部１０１ａの方に向けて噴き付けて、塗膜除去用溶剤を含浸させる。尚、丸破線部に示すように、円筒状基体の端部と回転台１０４の表面には、予め設定した距離による隙間があるので、塗膜除去部１０１ａの、回転台１０４に接する側の端部は、この隙間に沿って円筒状基体の外側に向かって押し出される。
【００２９】
その後、塗膜除去装置１００を予め設定した時間、或いは予め設定した回転回数で回転させ、円筒状基体端部内側の余剰塗膜を除去する。又、塗膜除去部１０１ａの、円筒状基体の端部と回転台１０４の表面の隙間に沿って円筒状基体の外側に向かって押し出された部分が、円筒状基体の端部及び外側端部の余剰塗膜も、引き寄せて吸収、除去する。
【００３０】
次に、塗膜除去装置１００を下降、或いは円筒状基体を上昇させながら、塗膜除去装置１００の回転を停止し、電磁石１１２ａの巻線に流れる電流を元の向きに変更して極性を元に戻し、永久磁石１１１ａとの間で吸引磁界を発生させる。この吸引磁界によって、永久磁石１１１ａは、貼り付けられた塗膜除去部１０１ａと共に、ガイド部１０３ａ、１０３ｂ、及び１０３ｃに沿って滑動し、筒状ガイド部１１３ａの端部位置まで引き寄せられ、固定される。
【００３１】
その後、除去されて回転台１０４等に残った余剰塗膜は、円筒状基体と塗膜除去装置１００が離れつつ、塗膜除去装置１００の回転が停止するため、回転の惰性によって図示しない処理容器に向けて排出される。
【００３２】
実施形態１によれば、永久磁石１１１ａと電磁石１１２ａとの反発磁界により、塗膜除去部１０１ａが円筒状基体に押し付けられながら、円筒状基体の端部内側を回転することで、円筒状基体の端部内側の余剰塗膜を除去する。
【００３３】
したがって、例えば、塗膜除去処理によって塗膜除去部１０１ａが摩耗し、円筒状基体との間の寸法が多少広がっても、これを補うように、双方の磁石の反発磁界によって永久磁石１１１ａが円筒状基体の方へ移動するので、永久磁石１１１ａに貼り付けられた塗膜除去部１０１ａは、円筒状基体に密接し、余剰塗膜除去の安定性を向上することができる。
【００３４】
〔実施形態２〕
次に、本発明の実施形態２について図４を参照して説明する。本実施形態が、実施形態１と異なる点は、塗膜除去部、永久磁石、電磁石、筒状ガイド部、ガイド部を、回転軸を中心として四方向へ配置した点である。
【００３５】
図４は、本発明の塗膜除去装置２００の要部構成図であり、図４（ａ）は上面視断面図、図４（ｂ）は正面視断面図である。図４（ａ）において矢印ｂ−ｂ’方向に見た図が図４（ｂ）であり、図４（ｂ）の矢印ａ−ａ’方向に見た図が、図４（ａ）である。実施形態１と同一部分は同一符号で示している。又、図中の同一構成要素については、符号を省略している場合がある。
【００３６】
図４を参照して、塗膜除去装置２００の構成を説明する。塗膜除去装置２００は、ガイド部２０３ａ、２０３ｂ、１０３ｃ、２０３ｄ、２０３ｅ、回転台１０４、回転軸１０８、第１の塗膜除去部である塗膜除去部１０１ａ、２０１ａ、第１の永久磁石である永久磁石１１１ａ、２１１ａ、第１の電磁石である電磁石１１２ａ、２１２ａ、筒状ガイド部１１３ａ、２１３ａ、溶剤吹き出し部１０９を備えている。
【００３７】
図４（ａ）に示すように、ガイド部２０３ａ、２０３ｂ、２０３ｄ、２０３ｅは、回転軸１０８を中心として回転台１０４の上に離間して向き合うように配置されており、この離間配置されたガイド部２０３ａ、２０３ｂ、２０３ｄ、２０３ｅの間に、塗膜除去部１０１ａ、２０１ａ、永久磁石１１１ａ、２１１ａ、電磁石１１２ａ、２１２ａ、筒状ガイド部１１３ａ、２１３ａが配置される。より詳しくは、ガイド部２０３ａと２０３ｂの間、２０３ｄと２０３ｅの間に、塗膜除去部１０１ａ、永久磁石１１１ａ、電磁石１１２ａ、筒状ガイド部１１３ａが配置され、ガイド部２０３ａと２０３ｄの間、２０３ｂと２０３ｅの間に、塗膜除去部２０１ａ、永久磁石２１１ａ、電磁石２１２ａ、筒状ガイド部２１３ａが配置される。又、塗膜除去部１０１ａ、永久磁石１１１ａは、ガイド部２０３ａ、２０３ｂの間、及びガイド部２０３ｄ、２０３ｅの間を滑動するように挟まれている。同様に、塗膜除去部２０１ａ、永久磁石２１１ａは、ガイド部２０３ｂ、２０３ｅの間、及びガイド部２０３ａ、２０３ｄの間を滑動するように挟まれている。
【００３８】
又、図４（ｂ）において、回転軸１０８は、下端部が、図示しない回転機構に取り付けられ、上端部には、溶剤吹き出し部１０９が設けられる。尚、特に図示はしないが、溶剤吹き出し部１０９への溶剤の供給は、回転軸１０８の内部に設けられた供給路により行う。又、回転台１０４は、回転軸１０８を中心として、この回転軸１０８に貫かれるように設けられている。
【００３９】
塗膜除去部１０１ａ、２０１ａは、例えば、多孔質スポンジが使用され、永久磁石１１１ａ、２１１ａの一方の側に貼り付けられる。又、塗膜除去部１０１ａ、２０１ａと永久磁石１１１ａ、２１１ａは、回転台１０４の上面に載置される。又、筒状ガイド部１１３ａ、２１３ａは、回転軸１０８に直角に固定され、この筒状ガイド部１１３ａ、２１３ａの中に電磁石１１２ａ、２１２ａが配置される。又、筒状ガイド部１１３ａ、２１３ａの回転軸１０８からの長さは、電磁石１１２ａ、２１２ａよりも長くなっており、電磁石１１２ａと永久磁石１１１ａ、電磁石２１２ａと永久磁石２１１ａが直接接触して破損しないようにしている。又、電磁石１１２ａ、２１２ａの片側端部は、回転軸１０８に固定されている。尚、図では、塗膜除去部１０１ａ、２０１ａ、永久磁石１１１ａ、２１１ａ、電磁石１１２ａ、２１２ａ、筒状ガイド部１１３ａ、２１３ａは、回転軸１０８を中心として、四方向に各々を４つ設けているが、三方向に各々を３つ設けても構わない。又、ガイド部２０３ａ、２０３ｂ、２０３ｄ、２０３ｅの上部は、ガイド部１０３ｃで覆われる。尚、図示は省略するが、塗膜除去装置２００は、除去した余剰塗膜を収集するための、上方に開口を有する処理容器に収容される。
【００４０】
本実施形態の塗膜除去動作は、基本的に実施形態１と同様であり、重複する説明は繰り返さないが、本実施形態の場合、永久磁石２１１ａと電磁石２１２ａとの反発磁界によって塗膜除去部２０１ａを円筒状基体に押し付けて、円筒状基体の端部内側の余剰塗膜を除去する動作が加わる。したがって、塗膜除去時に、塗膜除去部と円筒状基体の端部内側との当接面積が、実施形態１よりも増えるので、塗膜除去の安定性がより向上する。又、塗膜除去装置の回転時間又は、回転回数を少なくすることができるので、塗膜除去処理時間が短縮され、工程効率が向上する。
【００４１】
〔実施形態３〕
本発明の実施形態３について、図５〜７を参照して説明する。本実施形態が、実施形態１と異なる点は、余剰塗膜除去のための塗膜除去部、永久磁石、電磁石、筒状ガイド部、ガイド部を、円筒状基体の外側にも対応するよう設けた点である。
【００４２】
図５は、本発明の塗膜除去装置３００の要部構成図であり、図５（ａ）は上面視断面図、図５（ｂ）は正面視断面図である。図６、７は、本発明の塗膜除去装置３００の動作説明図である。図５（ａ）において矢印ｂ−ｂ’方向に見た図が図５（ｂ）であり、図５（ｂ）の矢印ａ−ａ’方向に見た図が、図５（ａ）である。実施形態１と同一部分は同一符号で示している。又、図中の同一構成要素については、符号を省略している場合がある。
【００４３】
始めに、図５を参照して、塗膜除去装置３００の構成を説明する。塗膜除去装置３００は、ガイド部１０３ａ、１０３ｂ、１０３ｃ、３０３ｄ、３０３ｅ、３０３ｆ、３０３ｇ、３０３ｈ、３０３ｉ、回転台３０４、回転軸１０８、第１の塗膜除去部である塗膜除去部１０１ａ、第２の塗膜除去部である塗膜除去部３０１ｂ、第１の永久磁石である永久磁石１１１ａ、第２の永久磁石である永久磁石３１１ｂ、第１の電磁石である電磁石１１２ａ、第２の電磁石である電磁石３１２ｂ、筒状ガイド部１１３ａ、３１３ｂ、溶剤吹き出し部１０９、支柱３１０を備えている。
【００４４】
図５（ａ）に示すように、ガイド部１０３ａ、１０３ｂは、回転軸１０８を中心として回転台１０４の上に離間して向き合うように配置されており、この離間配置されたガイド部１０３ａ、１０３ｂの間に、塗膜除去部１０１ａ、永久磁石１１１ａ、電磁石１１２ａ、筒状ガイド部１１３ａが配置される。又、ガイド部３０３ｄ、３０３ｅ及び、３０３ｇ、３０３ｈも同様に、回転軸１０８を中心として回転台３０４の周縁部上に離間して向き合うように配置されている。
【００４５】
ガイド部３０３ｄ、３０３ｅ及び、３０３ｇ、３０３ｈの間には、塗膜除去部３０１ｂ、永久磁石３１１ｂ、電磁石３１２ｂ、筒状ガイド部３１３ｂが配置される。又、塗膜除去部１０１ａ、３０１ｂ、永久磁石１１１ａ、３１１ｂは、向き合うように離間配置されたガイド部の間を滑動するように挟まれている。
【００４６】
又、図５（ｂ）において、回転軸１０８は、下端部が、図示しない回転機構に取り付けられ、上端部には、溶剤吹き出し部１０９が設けられる。又、回転台３０４は、回転軸１０８を中心として、この回転軸１０８に貫かれるように設けられている。又、回転台３０４の周縁部に支柱３１０が設けられ、この支柱３１０の上端部にも溶剤吹き出し部１０９が設けられる。尚、特に図示はしないが、溶剤吹き出し部１０９への溶剤の供給は、回転軸１０８の内部、回転台１０４及び、支柱３１０の内部に設けられた供給路により行う。
【００４７】
塗膜除去部１０１ａ、３０１ｂは、例えば、多孔質スポンジが使用され、永久磁石１１１ａ、３１１ｂの一方の側に貼り付けられる。又、塗膜除去部１０１ａ、３０１ｂと、永久磁石１１１ａ、３１１ｂは、回転台３０４の上面に載置される。又、筒状ガイド部１１３ａ、３１３ｂは、各々、回転軸１０８、支柱３１０に直角に固定され、各々の筒状ガイド部の中に電磁石１１２ａ、３１２ｂが配置される。又、筒状ガイド部の、回転軸１０８、支柱３１０からの長さは、内包する電磁石よりも長くなっており、電磁石１１２ａと永久磁石１１１ａ及び、電磁石３１２ｂと永久磁石３１１ｂが直接接触して破損しないようにしている。
【００４８】
又、電磁石１１２ａ、３１２ｂの片側端部は、各々、回転軸１０８、支柱３１０に固定されている。尚、図では、塗膜除去部１０１ａ、３０１ｂ、永久磁石１１１ａ、３１１ｂ、電磁石１１２ａ、３１２ｂ、筒状ガイド部１１３ａ、３１３ｂ、支柱３１０は、回転軸１０８を中心として、二方向に各々を２つ設けているが、一方向に各々を１つ設けても構わない。又、ガイド部１０３ａ、１０３ｂの上部、３０３ｄ、３０３ｅの上部、３０３ｇ、３０３ｈの上部は、各々、ガイド部１０３ｃ、３０３ｆ、３０３ｉで覆われる。尚、図示は省略するが、塗膜除去装置３００は、除去した余剰塗膜を収集するための、上方に開口を有する処理容器に収容される。
【００４９】
次に、図６、７を参照して、塗膜除去装置３００の塗膜除去動作について説明する。図６は、塗膜除去処理前の状態を、図７（ａ）、（ｂ）は塗膜除去処理時の状態を示している。
先ず、図６において、浸漬塗工法により感光体が塗布された円筒状基体が、未乾燥の状態で塗膜除去装置３００の上方で保持される。このとき、円筒状基体の中心は、塗膜除去装置３００の回転軸１０８の中心に合致するように保持される。
【００５０】
塗膜除去装置３００の電磁石１１２ａ、３１２ｂの巻線には、永久磁石１１１ａ、３１１ｂとの間で吸引磁界が発生する向きに電流が流れている。より詳しくは、永久磁石１１１ａを、電磁石１１２ａに向く側がＮ極、塗膜除去部１０１ａに向く側がＳ極となるよう配置した場合、電磁石１１２ａは、永久磁石１１１ａに向く側がＳ極となるよう、巻線に電流が流れている。これにより、永久磁石１１１ａは、筒状ガイド部１１３ａの端部まで引き寄せられて固定されている。無論、双方の磁石が向き合う側の極性を逆にしても良い。例えば、永久磁石１１１ａを、電磁石１１２ａに向く側がＳ極、塗膜除去部１０１ａに向く側がＮ極となるよう配置した場合、電磁石１１２ａは、永久磁石１１１ａに向く側がＮ極となるよう、巻線に電流を流せば良い。又、永久磁石３１１ｂと電磁石３１２ｂの動作も同様である。
【００５１】
次に、図７（ａ）に示すように、塗膜除去装置３００は、円筒状基体の端部に、回転台３０４の表面が接触しないように、予め設定した距離で近接するまで上昇する。或いは、塗膜除去装置３００を一定位置に固定しておき、円筒状基体を、塗膜除去装置３００の回転台３０４の表面に、予め設定した距離で近接するまで下降するようにしても構わない。
【００５２】
次に、図７（ｂ）に示すように、回転台３０４の表面と、円筒状基体の端部が予め設定した距離で近接した後、電磁石１１２ａ、３１２ｂの巻線に流れる電流を逆向きに変更して極性を反転させ、永久磁石１１１ａ、３１１ｂとの間で反発磁界を発生させる。この反発磁界によって、永久磁石１１１ａは、貼り付けられた塗膜除去部１０１ａと共に、ガイド部１０３ａ、１０３ｂ、及び１０３ｃに沿って滑動し、塗膜除去部１０１ａが円筒状基体の内側に押し付けられる。又、永久磁石３１１ｂは、貼り付けられた塗膜除去部３０１ｂと共に、ガイド部３０３ｄ、３０３ｅ、及び３０３ｆに沿って滑動し、塗膜除去部３０１ｂが円筒状基体端部の外側に押し付けられる。
【００５３】
塗膜除去部１０１ａ、３０１ｂが円筒状基体端部の内側及び外側に押し付けられた後、溶剤吹き出し部１０９から、塗膜除去用溶剤を塗膜除去部１０１ａ、３０１ｂの方に向けて噴き付けて、塗膜除去用溶剤を含浸させる。その後、塗膜除去装置３００を予め設定した時間、或いは予め設定した回転回数で回転させ、円筒状基体端部の内側及び外側の余剰塗膜を除去する。
【００５４】
次に、塗膜除去装置３００を下降、或いは円筒状基体を上昇させながら、塗膜除去装置３００の回転を停止し、電磁石１１２ａ、３１２ｂの巻線に流れる電流を元の向きに変更して極性を元に戻し、永久磁石１１１ａ、３１１ｂとの間で吸引磁界を発生させる。この吸引磁界によって、永久磁石１１１ａは、貼り付けられた塗膜除去部１０１ａと共に、ガイド部１０３ａ、１０３ｂ、及び１０３ｃに沿って滑動し、筒状ガイド部１１３ａの端部位置まで引き寄せられ固定される。同様に、永久磁石３１１ｂは、貼り付けられた塗膜除去部３０１ｂと共に、ガイド部３０３ｄ、３０３ｅ、及び３０３ｆ、ガイド部３０３ｇ、３０３ｈ、及び３０３ｉに沿って滑動し、筒状ガイド部３１３ｂの端部位置まで引き寄せられ固定される。
【００５５】
その後、除去されて回転台３０４に残った余剰塗膜は、円筒状基体と塗膜除去装置３００が離れつつ、塗膜除去装置３００の回転が停止するため、回転の惰性によって図示しない処理容器に向けて排出される。
【００５６】
実施形態３によれば、余剰塗膜を除去するための構成である、塗膜除去部、永久磁石、電磁石を、円筒状基体の端部外側にも対応するよう設けたので、円筒状基体端部の余剰塗膜を、より確実に除去することができる。
【００５７】
〔実施形態４〕
次に、本発明の実施形態４について図８を参照して説明する。本実施形態が、実施形態３と異なる点は、塗膜除去部、永久磁石、電磁石、筒状ガイド部、ガイド部を、回転軸を中心に四方向へ配置した点である。
【００５８】
図８は、本発明の塗膜除去装置４００の要部構成図であり、図８（ａ）は上面視断面図、図８（ｂ）は正面視断面図である。図８（ａ）において矢印ｂ−ｂ’方向に見た図が図８（ｂ）であり、図８（ｂ）の矢印ａ−ａ’方向に見た図が、図８（ａ）である。実施形態２又は３と同一部分及び、図中の同一構成要素については、符号を省略している場合がある。
【００５９】
図８を参照して、塗膜除去装置４００の構成を説明する。塗膜除去装置４００は、実施形態３の塗膜除去装置３００と比較し、ガイド部２０３ａ、２０３ｂ、２０３ｄ、２０３ｅ、４０３ｄ、４０３ｅ、４０３ｆ、４０３ｇ、４０３ｈ、４０３ｉ、第１の塗膜除去部である塗膜除去部２０１ａ、第２の塗膜除去部である塗膜除去部４０１ｂ、第１の永久磁石である永久磁石２１１ａ、第２の永久磁石である永久磁石４１１ｂ、第１の電磁石である電磁石２１２ａ、第２の電磁石である電磁石４１２ｂ、筒状ガイド部２１３ａ、４１３ｂ、支柱４１０を新たに備えている。
【００６０】
図８（ａ）に示すように、ガイド部２０３ａ、２０３ｂ、２０３ｄ、２０３ｅは、回転軸１０８を中心として回転台３０４の上に離間して向き合うように配置されており、この離間配置されたガイド部２０３ａ、２０３ｂ、２０３ｄ、２０３ｅの間に、塗膜除去部２０１ａ、永久磁石２１１ａ、電磁石２１２ａ、筒状ガイド部２１３ａが配置される。より詳しくは、ガイド部２０３ａと２０３ｄの間、２０３ｂと２０３ｅの間に、塗膜除去部２０１ａ、永久磁石２１１ａ、電磁石２１２ａ、筒状ガイド部２１３ａが配置される。又、塗膜除去部２０１ａ、永久磁石２１１ａは、ガイド部２０３ｂ、２０３ｅの間、及びガイド部２０３ａ、２０３ｄの間を滑動するように挟まれている。
【００６１】
又、図８（ｂ）において、回転軸１０８の下端部は、図示しない回転機構に取り付けられており、上端部には、溶剤吹き出し部１０９が設けられる。又、回転台１０４は、回転軸１０８を中心として、この回転軸１０８に貫かれるように設けられている。又、回転台１０４の周縁部に支柱４１０が設けられ、支柱４１０の上端部にも溶剤吹き出し部１０９が設けられる。尚、特に図示はしないが、溶剤吹き出し部１０９への溶剤の供給は、回転軸１０８の内部、回転台３０４及び、支柱４１０の内部に設けられた供給路により行う。
【００６２】
塗膜除去部２０１ａ、４０１ｂは、例えば、多孔質スポンジが使用され、永久磁石２１１ａ、４１１ｂの一方の側に貼り付けられる。又、塗膜除去部２０１ａ、４０１ｂと、永久磁石２１１ａ、４１１ｂは、回転台３０４の上面に載置される。又、筒状ガイド部２１３ａ、４１３ｂは、各々、回転軸１０８、支柱４１０に直角に固定され、各々の筒状ガイド部の中に電磁石２１２ａ、４１２ｂが配置される。又、筒状ガイド部の、回転軸１０８、支柱４１０からの長さは、内包する電磁石よりも長くなっており、電磁石２１２ａと永久磁石２１１ａ及び、電磁石４１２ｂと永久磁石４１１ｂが直接接触して破損しないようにしている。又、電磁石２１２ａ、４１２ｂの片側端部は、各々、回転軸１０８、支柱４１０に固定されている。
【００６３】
尚、本実施形態では、実施形態３の構成に加えて、塗膜除去部２０１ａ、４０１ｂ、永久磁石２１１ａ、４１１ｂ、電磁石２１２ａ、４１２ｂ、筒状ガイド部２１３ａ、４１３ｂ、支柱４１０を、回転軸１０８を中心として、二方向に追加配置した形態を例示したが、各々を一方向のみに追加配置しても構わない。
【００６４】
又、ガイド部２０３ａ、２０３ｂ、２０３ｄ、２０３ｅの上部は、ガイド部１０３ｃで覆われ、ガイド部４０３ｄ、４０３ｅの上部は、ガイド部４０３ｆで覆われ、ガイド部４０３ｇ、４０３ｈの上部は、ガイド部４０３ｉで覆われる。尚、図示は省略するが、塗膜除去装置４００は、除去した余剰塗膜を収集するための、上方に開口を有する処理容器に収容される。
【００６５】
本実施形態の塗膜除去動作は、基本的に実施形態３と同様であり、重複する説明は繰り返さないが、本実施形態では、永久磁石２１１ａと電磁石２１２ａ及び、永久磁石４１１ｂと電磁石４１２ｂの反発磁界によって、塗膜除去部２０１ａ及び４０１ｂを円筒状基体に押し付けて回転させ、円筒状基体の端部内側及び端部外側の余剰塗膜を除去する動作が加わる。したがって、塗膜除去時に、塗膜除去部と円筒状基体の端部内側及び端部外側との当接面積が、実施形態３よりも増えるので、余剰塗膜除去の安定性が更に向上する。
【００６６】
今回開示された実施形態は全ての点で例示であって制限的なものではない。本発明の範囲は上記した説明ではなく、特許請求の範囲によって示され、特許請求の範囲と均等の意味及び範囲内での全ての変更が含まれることが意図されるものである。
【符号の説明】
【００６７】
１００、２００、３００、４００  塗膜除去装置
１０１ａ、２０１ａ  第１塗膜除去部
３０１ｂ、４０１ｂ  第２塗膜除去部
１０３ａ、１０３ｂ、１０３ｃ、２０３ａ、２０３ｂ、２０３ｄ、２０３ｅ、３０３ｄ、３０３ｅ、３０３ｆ、３０３ｇ、３０３ｈ、３０３ｉ、４０３ｄ、４０３ｅ、４０３ｆ、４０３ｇ、４０３ｈ、４０３ｉ  ガイド部
１０４、３０４  回転台
１０８  回転軸
１０９  溶剤吹き出し部
３１０、４１０  支柱
１１１ａ、２１１ａ  第１永久磁石
３１１ｂ、４１１ｂ  第２永久磁石
１１２ａ、２１２ａ  第１電磁石
３１２ｂ、４１２ｂ  第２電磁石
１１３ａ、２１３ａ、３１３ｂ、４１３ｂ  筒状ガイド部
【図１】
2014119523.tif 000003
【図２】
2014119523.tif 000004
【図３】
2014119523.tif 000005
【図４】
2014119523.tif 000006
【図５】
2014119523.tif 000007
【図６】
2014119523.tif 000008
【図７】
2014119523.tif 000009
【図８】
2014119523.tif 000010
【図９】
2014119523.tif 000011